(57)【要約】【課題】部品点数を増加させることなく、簡単な組み立て作業で外装カバーの合わせ部に大きな隙間が生じないようにすることができる電子機器を提供する。【解決手段】電子機器は、周溝１２が形成されたフロントカバー２と、フロントカバー２に組み付けられ、組み付け状態で周溝１２に挿入される周壁１１を有する装飾リング１とを備える。周壁１１は、周溝１２に挿入される側の端部に、周壁１１の外周面から内周面に向けて周溝１２に次第に接近するように傾斜する傾斜面１ｂが形成され、周溝１２には、傾斜面１ｂと平行とされ、かつ装飾リング１が外挿されるフロントカバー２の外周面２ｄ、及びフロントカバー２の外面２ｃにそれぞれ接続される傾斜面２ｂが形成される。そして、傾斜面１ｂと周壁１１の外周面１ｃとの境部１ａと、傾斜面２ｂと外面２ｃとの境部２ａとが装飾リング２とフロントカバー２との合わせ部Ｄとされ、境部１ａと境部２ａとは、装飾リング１の軸線と平行な線上に略一致して配置される。【選択図】図４
2013130627.tif 000002
【特許請求の範囲】
【請求項１】
周溝が形成された第１の外装カバーと、前記第１の外装カバーに組み付けられ、組み付け状態で前記周溝に挿入される周壁を有するリング状の第２の外装カバーと、を備え、
前記周壁は、前記周溝に挿入される側の端部に、前記周壁の外周面から内周面に向けて前記周溝に次第に接近するように傾斜する傾斜面が形成され、
前記周溝には、前記周壁に形成された傾斜面と平行とされ、かつ前記第２の外装カバーが外挿される前記第１の外装カバーの外周面、及び前記第１の外装カバーの外面にそれぞれ接続される傾斜面が形成され、
前記周壁に形成された傾斜面と前記周壁の外周面との境部と、前記周溝に形成された傾斜面と前記第１の外装カバーの外面との境部と、が前記第２の外装カバーと前記第１の外装カバーとの合わせ部とされ、
前記第１の外装カバーの前記境部と前記第２の外装カバーの前記境部とは、前記第２の外装カバーの軸線と平行な線上に略一致して配置されることを特徴とする電子機器。
【請求項２】
前記第１の外装カバーの外面は、前記第２の外装カバーの軸線に対して前記第１の外装カバーの前記境部から次第に離れる方向に傾斜する傾斜外面とされることを特徴とする請求項１に記載の電子機器。
【発明の詳細な説明】
【技術分野】
【０００１】
本発明は、デジタルカメラやデジタルビデオカメラ等の電子機器に関する。
【背景技術】
【０００２】
デジタルカメラやデジタルビデオカメラ等では、図５及び図６に示すように、樹脂製のフロントカバー３０２に金属メッキ等で装飾した装飾リング３０１をフロント側からリア側へ組み込んで一体化したものがある。具体的には、図７に示すように、装飾リング３０１の端部をフロントカバー３０２に形成した周溝に軸方向に嵌め込んでフロントカバー３０２に装飾リング３０１を組み付ける。
【０００３】
この場合、装飾リング３０１の組み付け作業性を良好にするため、装飾リング３０１の外周面とフロントカバー３０２の周溝との間に隙間３０３が必要となる。また、周溝の装飾リング３０１の外周面と対向する周面は、フロントカバー３０２を成形加工する際の離型性を良好にするためのテーパ面３０２ａとされている。このため、装飾リング３０１の外周面とフロントカバー３０２の周溝との間の隙間３０３がフロントに向かうにつれて大きくなり、フロント側から見た際の見栄えが悪化する。
【０００４】
このような問題に対して、図８に示す外装カバーの組立構造が提案されている（特許文献１）。この外装カバーの組立構造では、フロントカバー４０１の係止爪４０３がリアカバー４０２の係止穴４０４に係止されることで、リアカバー４０２にフロントカバー４０１が組み付けられる。図８において、軸部４０５は、回転させることで軸方向に移動可能とされ、軸部４０５を回転させて軸部４０５の先端で傾斜面４０４ａを押すことで、係止穴４０４をカバー４０１，４０２の合わせ部方向（矢印Ｄ方向）に移動させて合わせ部の隙間を調整する。
【先行技術文献】
【特許文献】
【０００５】
【特許文献１】特開２００８−１４１１２９号公報
【発明の概要】
【発明が解決しようとする課題】
【０００６】
しかし、上記特許文献１では、係止穴４０４をカバー４０１，４０２の合わせ部方向に移動させる機構や軸部４０５等の部品が必要となるため、部品点数が増加する。また、カバー４０１，４０２の合わせ部の隙間を調整する作業が必要となるため、組み立てに要する手間が多くなり、製造コストの増加を招く原因になる。
【０００７】
そこで、本発明は、部品点数を増加させることなく、簡単な組み立て作業で外装カバーの合わせ部に大きな隙間が生じないようにすることができる電子機器を提供することを目的とする。
【課題を解決するための手段】
【０００８】
上記目的を達成するために、本発明の電子機器は、周溝が形成された第１の外装カバーと、前記第１の外装カバーに組み付けられ、組み付け状態で前記周溝に挿入される周壁を有するリング状の第２の外装カバーと、を備え、前記周壁は、前記周溝に挿入される側の端部に、前記周壁の外周面から内周面に向けて前記周溝に次第に接近するように傾斜する傾斜面が形成され、前記周溝には、前記周壁に形成された傾斜面と平行とされ、かつ前記第２の外装カバーが外挿される前記第１の外装カバーの外周面、及び前記第１の外装カバーの外面にそれぞれ接続される傾斜面が形成され、前記周壁に形成された傾斜面と前記周壁の外周面との境部と、前記周溝に形成された傾斜面と前記第１の外装カバーの外面との境部と、が前記第２の外装カバーと前記第１の外装カバーとの合わせ部とされ、前記第１の外装カバーの前記境部と前記第２の外装カバーの前記境部とは、前記第２の外装カバーの軸線と平行な線上に略一致して配置されることを特徴とする。
【発明の効果】
【０００９】
本発明によれば、部品点数を増加させることなく、簡単な組み立て作業で外装カバーの合わせ部に大きな隙間が生じないようにすることができる電子機器を提供することができる。
【図面の簡単な説明】
【００１０】
【図１】本発明の電子機器の実施形態の一例であるデジタルビデオカメラの外観斜視図である。
【図２】図１に示すデジタルビデオカメラのフロントカバーユニットの分解斜視図である。
【図３】図１のＡ−Ａ線断面図である。
【図４】図３のＢ部拡大図である。
【図５】従来例を説明するための図である。
【図６】図５のＸ−Ｘ線断面図である。
【図７】図６のＹ部拡大図である。
【図８】他の従来例を説明するための斜視図である。
【発明を実施するための形態】
【００１１】
以下、本発明の実施形態の一例を図面を参照して説明する。
【００１２】
図１は本発明の電子機器の実施形態の一例であるデジタルビデオカメラの外観斜視図、図２は図１に示すデジタルビデオカメラのフロントカバーユニットの分解斜視図である。
【００１３】
図１に示すように、本実施形態のデジタルビデオカメラ１００は、フロント側（被写体側）にレンズ鏡筒１０１の光学系が配置され、レンズ鏡筒１０１の光学系の外周側は、フロントカバーユニット１０により覆われている。
【００１４】
フロントカバーユニット１０は、図２に示すように、樹脂等の成形品からなるフロントカバー２に、金属メッキ等で装飾した装飾リング１がフロント側からリア側へ組み込まれて一体化される。ここで、フロントカバー２は、本発明の第１の外装カバーの一例に相当し、装飾リング１は、本発明のリング状の第２の外装カバーの一例に相当する。
【００１５】
図３は図１のＡ−Ａ線断面図、図４は図３のＢ部拡大図である。図３に示すように、装飾リング１は、フロント側の端部内周部に、径方向内側に突出する係合凸部１ｅが形成され、リア側の端部に、軸方向に突出する係合凸部１ｆが形成されている。
【００１６】
そして、装飾リング１がフロントカバー２に組み込まれた状態では、係合凸部１ｅ及び係合凸部１ｆは、それぞれフロントカバー２に形成された係合凹部２ｅ及び係合凹部２ｆに嵌め込まれる。
【００１７】
また、フロントカバー２には、デジタルビデオカメラ１００の側面からフロントカバー２に組み込まれた装飾リング１の外周面に向けて傾斜する傾斜外面２ｃが形成されている。フロントカバー２の傾斜外面２ｃとフロントカバー２の装飾リング１が外挿される外周面２ｄとの間には、周溝１２が形成されている。周溝１２には、装飾リング１の周壁のうちの一部の周壁１１のリア側の端部１１ａがフロント側からリア側へ向けて光軸方向に挿入される。
【００１８】
装飾リング１の周壁１１は、外周面１ｃ及び内周面１ｄが共に光軸と略平行な周面とされ、周壁１１のリア側の端部１１ａには、外周面から内周面に向けて次第に周溝１２に接近するように傾斜する傾斜面１ｂが形成されている。
【００１９】
一方、フロントカバー２の周溝１２には、周壁１１のリア側の端部１１ａに形成された傾斜面１ｂと平行な傾斜面２ｂが形成されており、傾斜面２ｂは、フロントカバー２の外周面２ｄ及び傾斜外面２ｃに接続されている。
【００２０】
これにより、フロントカバー２の周溝１２の傾斜面２ｂと装飾リング１の周壁１１のリア側の端部１１ａに形成された傾斜面１ｂとの間に、装飾リング１の組み付け作業性を良好にするための平行な隙間３が装飾リング１の軸線と交差する方向に沿って配置される。
【００２１】
そして、装飾リング１の周壁１１のリア側の端部１１ａに形成された傾斜面１ｂと周壁１１の外周面１ｃとの境部１ａと、フロントカバー２の傾斜外面２ｃと周溝１２の傾斜面２ｂとの境部２ａとが装飾リング１とフロントカバー２との合わせ部Ｄとされている。
【００２２】
ここで、装飾リング１側の境部１ａとフロントカバー２側の境部２ａとは、光軸と平行な線上に略一致して配置される。これにより、デジタルビデオカメラ１００をフロント側から光軸方向に見たとき、装飾リング１とフロントカバー２との合わせ部Ｄの隙間３を見えないようにすることができる。
【００２３】
以上説明したように、本実施形態では、部品点数を増加させることなく、簡単な組み立て作業でフロントカバー２と装飾リング１との合わせ部に大きな隙間が生じないようにすることができるデジタルビデオカメラ１００を提供することができる。
【００２４】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２５】
１  装飾リング
１ｂ  傾斜面
１ｃ  外周面
２  フロントカバー
２ｂ  傾斜面
２ｃ  傾斜外面
１１  周壁
１２  周溝
Ｄ  カバー合わせ部
１００  デジタルビデオカメラ
【図１】
2013130627.tif 000003
【図２】
2013130627.tif 000004
【図３】
2013130627.tif 000005
【図４】
2013130627.tif 000006
【図５】
2013130627.tif 000007
【図６】
2013130627.tif 000008
【図７】
2013130627.tif 000009
【図８】
2013130627.tif 000010